(57)【要約】【課題】　　　　　　常時かつ確実に観察者眼又は撮像装置等を保護する眼保護装置を有する顕微鏡。【解決手段】　　　　少なくとも１つの切替可能なフィルタアダプタ（１２）と少なくとも１つの光源を備えた少なくとも１つの照明装置（１）とを有する顕微鏡において、前記フィルタアダプタ（１２）は、機械的、電気的、光学的及び磁気的機構のうち少なくとも何れか１つの機構を有する機能的結合装置（１９）を介して、前記照明装置（１）と機能的に連携結合され、作動状態において、顕微鏡の作動位置に配置されるべきフィルタアダプタ（１２）が所定位置にない場合、励起照明光は生成されないよう、かつ作動状態において、前記機能的結合装置（１９）を介して、励起光源（２２）へのエネルギ供給が、前記フィルタアダプタ（１２）の配置又は離脱によって切替可能であるよう構成されることを特徴とする。【選択図】　　　　　図１
2004145345.tif 000002
【特許請求の範囲】
【請求項１】
　少なくとも１つの切替可能なフィルタアダプタ（１２）と少なくとも１つの光源を備えた少なくとも１つの照明装置（１）とを有する顕微鏡において、
　前記フィルタアダプタ（１２）は、機械的、電気的、光学的及び磁気的機構のうち少なくとも何れか１つの機構を有する機能的結合装置（１９）を介して、前記照明装置（１）と機能的に連携結合され、
　作動状態において、顕微鏡の作動位置に配置されるべきフィルタアダプタ（１２）が所定位置にない場合、励起照明光は生成されないよう、かつ
　作動状態において、前記機能的結合装置（１９）を介して、励起光源（２２）へのエネルギ供給が、前記フィルタアダプタ（１２）の所定位置への配置又は離脱によって切替可能であるよう、
　構成されること
　を特徴とする顕微鏡。
【請求項２】
　前記フィルタアダプタ（１２）の配置時、前記励起光源（２２）のための減光調光装置並びに照明光路（２ａ）のためのシャッタ（６）が、前記機能的結合装置（１９）を介して、前記フィルタアダプタ（１２）の配置又は離脱によって切替可能に構成されること
　を特徴とする請求項１に記載の顕微鏡。
【請求項３】
　前記シャッタ（６）は、作動状態において、電動駆動機構たる電動機（９）又は電磁石によって、該シャッタ（６）の作動に必要な回路が前記機能的結合装置（１９）によって閉じられている場合にのみ、開放されかつ開放された状態に維持可能に構成されること
　を特徴とする請求項２に記載の顕微鏡。
【請求項４】
　顕微鏡にエネルギ供給停止が生じた場合、前記励起光源のエネルギ供給は自動的にスイッチオフされ、前記励起光源の減光調光装置は自動的にスイッチオンされ、及び前記シャッタ（６）は自動的に閉鎖されること
　を特徴とする請求項１に記載の顕微鏡。
【請求項５】
　前記シャッタ（６）は、重力又は磁力によって閉鎖可能に構成されること
　を特徴とする請求項２又は４に記載の顕微鏡。
【請求項６】
　前記シャッタ（６）は、枢動フラップ又は機械的線形運動絞り又は機械的回動絞りとして構成されること
　を特徴とする請求項２又は３に記載の顕微鏡。
【請求項７】
　前記顕微鏡は蛍光顕微鏡であり、かつ複数のフィルタアダプタ（１２）が、フィルタ切替装置（１１）に配され、該フィルタアダプタ（１２）は、該フィルタ切替装置（１１）の手動又は動力駆動的切替により、作動位置へ配置可能に構成されること
　を特徴とする請求項１〜６の何れか一項に記載の顕微鏡。
【請求項８】
　前記フィルタアダプタ（１２）は、複数のフィルタ要素（１３、１４）の組合せと、閉回路形成機能を有するスイッチ（２０）を作動する少なくとも１つの作動カム部（１９）とから構成されること
　を特徴とする請求項１〜７の何れか一項に記載の顕微鏡。
【請求項９】
　前記フィルタアダプタ（１２）は、前記スイッチ（２０）を切替可能にする少なくとも１つの光学的信号センサを有すること
　を特徴とする請求項１〜８の何れか一項に記載の顕微鏡。
【発明の詳細な説明】
【技術分野】
【０００１】
　本発明は、顕微鏡、特に蛍光顕微鏡に関し、とりわけ電子的に制御可能な、眼保護手段を有する蛍光顕微鏡に関する。
【背景技術】
【０００２】
　紫外スペクトル領域の光も放射可能な光強度の大きい照明装置を備えた蛍光（特にステレオ）顕微鏡は既知である。照明光路の励起フィルタとしてその都度蛍光色素のために必要な波長を分離し、かつ観察光路の遮断（吸収）フィルタとしてまさにこの励起光を遮断するために、観察光路には純粋なＵＶ保護フィルタの他に、更なるフィルタ組み（複数）が使用される。この特定の目的に設定されたフィルタ組み（セット）は、切替可能に装脱（スライド）自在に構成され、各種蛍光励起照明間での迅速な切替可能性を有することが好ましい。
【０００３】
　利用者が任意に選択可能な複数のフィルタアダプタを、１つの手動又は動力で切替可能なマガジンないし１つのレボルバに配することにより、更に迅速な切替を行うことも可能である。フィルタ組みが配されていない位置には、それぞれ、フィルタにかけられていない大きな光強度による眼の障害又は撮像装置の損傷を阻止するため照明光を遮断又は減光するいわゆる「ダミー」を利用者は使用しなければならない。
【０００４】
　更に、観察間のインターバル中に照明光路を遮断する機械装置（遮断摺動装置）もある（特許文献１参照）。これにより、照明装置をスイッチオフしなくても、観察される被検対象の退色を阻止することができる。上記特許文献１に応じ切替フィルタ支持体と運動結合（連動）するシャッタは、（フィルタの）切替操作中、光路を遮断し、各作動位置において再び開放するように構成されている。
【０００５】
【特許文献１】EP 1 010 030 B1
【発明の開示】
【発明が解決しようとする課題】
【０００６】
　しかしながら、上述の装置では、顕微鏡の利用者は、切替フィルタ支持体のフィルタアダプタが備えられていない位置がオン切替され（光路に配され）ること、及び非常に強度の大きい光が被検対象並びに観察者眼ないし撮像装置へ入射し得ることに対する確実な保護を確保するには至っていない。
【０００７】
　それゆえ、本発明の課題は、常時かつ確実に観察者眼又は撮像装置等を保護する眼保護装置を有する蛍光顕微鏡等の顕微鏡を提供することである。フィルタアダプタの切替の際には、顕微鏡の内外において、有害光は、眼により知覚可能であるべきではないので、本発明は、そのように一層の安全化を図るものである。
【課題を解決するための手段】
【０００８】
　上記の課題を解決するために、本発明の一視点により、少なくとも１つの切替可能なフィルタアダプタ（Filtereinsatz）と（少なくとも１つの光源を備える）少なくとも１つの照明装置とを有する顕微鏡を提供する。この顕微鏡において、前記フィルタアダプタは、機械的、電気的、光学的及び磁気的機構のうち少なくとも何れか１つの機構を有する機能的結合装置を介して、前記照明装置と機能的に連携結合され、作動状態において、顕微鏡の作動位置に配置されるべきフィルタアダプタが所定位置にない場合、励起照明光は生成されないよう、かつ作動状態において、前記機能的結合装置を介して、励起光源へのエネルギ供給が、前記フィルタアダプタの（作動位置への）配置又は（作動位置からの）離脱によって切替可能であるよう、構成されることを特徴とする（形態１・基本構成）。即ち、本発明では、顕微鏡（特に蛍光顕微鏡）において、フィルタアダプタが作動していない場合、励起光は照明装置から射出（放射）されないように構成される。
【発明の効果】
【０００９】
　本発明の独立請求項１により、所定の課題として掲げた効果が上述の通り達成される。即ち、本発明の顕微鏡（特に蛍光顕微鏡）により、観察者の眼又は撮像装置は常時かつ確実に（有害光から）保護される（基本構成）。
　更に、各従属請求項により、付加的な効果がそれぞれ達成される。
【発明を実施するための最良の形態】
【００１０】
　以下に、本発明の好ましい実施の形態を示すが、これらは従属請求項の対象でもありうる。
　（２）　上記の顕微鏡において、前記機能的結合装置を介して、前記フィルタアダプタの配置時、前記励起光源のための減光調光装置並びに照明光路のためのシャッタが、前記フィルタアダプタの（作動位置への）配置又は（作動位置からの）離脱によって切替可能に構成されることが好ましい（形態２）。
　（３）　上記の顕微鏡において、前記シャッタは、作動状態において、電動駆動機構（電動機又は電磁石）によって、該シャッタの作動に必要な回路が前記機能的結合装置によって閉じられている場合にのみ、開放されかつ開放された状態に維持可能に構成されることが好ましい（形態３）。
　（４）　上記の顕微鏡において、顕微鏡にエネルギ供給停止が生じた場合、前記励起光源のエネルギ供給は自動的にスイッチオフされ、前記励起光源の減光調光装置は自動的にスイッチオンされ、及び前記シャッタは自動的に閉鎖されることが好ましい（形態４）。
　（５）　上記の顕微鏡において、前記シャッタは、重力又は磁力によって閉鎖可能に構成されることが好ましい（形態５）。
　（６）　上記の顕微鏡において、前記シャッタは、枢動フラップ又は機械的線形運動絞り又は機械的回動絞りとして構成されることが好ましい（形態６）。
　（７）　上記の顕微鏡において、（互いに異なる）複数のフィルタアダプタが、例えばフィルタレボルバ等のフィルタ切替装置に配され、該フィルタアダプタは、該フィルタ切替装置の手動又は動力駆動的切替により、作動位置へ配置可能に構成されることが好ましい（形態７）。
　（８）　上記の顕微鏡において、前記フィルタアダプタは、複数のフィルタ要素の組合せと、閉回路形成機能を有するスイッチ（スナップスイッチ等）を作動する少なくとも１つの作動カムとから構成されることが好ましい（形態８）。
　（９）　上記の顕微鏡において、前記フィルタアダプタは、前記スイッチを切替可能にする少なくとも１つの光学的信号センサを有することが好ましい（形態９）。
　（１０）　上記の顕微鏡において、前記シャッタは、作動状態において、電動機又は電磁石によって、切替可能に構成されることが好ましい（形態１０）。
　（１１）　上記の顕微鏡において、前記シャッタは、バネの力Ｆによって閉鎖可能に構成されることが好ましい（形態１１）。
　（１２）　上記の顕微鏡において、前記シャッタは、弾性部材ないし材料によって閉鎖可能に構成されることが好ましい（形態１２）。
　（１３）　上記の顕微鏡において、前記フィルタアダプタは、作動状態において、閉回路形成機能を有する磁石スイッチを作動する少なくとも１つの永久磁石を有することが好ましい（形態１３）。
　（１４）　上記の顕微鏡において、前記フィルタアダプタは、作動状態において、スイッチとして作動する少なくとも１つの導電性接触面（コンタクト面）を有することが好ましい（形態１４）。
　（１５）　上記の顕微鏡において、前記複数のフィルタ要素のうちの少なくとも１つは、作動状態において、スイッチとして作動する導電性層を有することが好ましい（形態１５）。
　（１６）　上記の顕微鏡において、前記シャッタは、前記照明光路ではなく、前記観察光路に配されることが好ましい（形態１６）。
　（１７）　上記の顕微鏡は、ステレオ顕微鏡として構成されることが好ましい（形態１７）。以上の各形態において本発明は、特に蛍光顕微鏡に有利に用いられる。
【００１１】
　一展開形態によれば、フィルタレボルバの切替及び照明の持続（期間）は、制御装置によって電子的に制御され、エルゴノミックス（人間工学的特性）及び生産性が改善される。このような制御は、特別な操作ユニット又はコンピュータによって行うことができ、これによって、例えば、交替的に蛍光を励起することにより生じる一連の画像の自動撮像が可能となる。しかしながら、電気的切替及びこのため手動によってフィルタレボルバと接触しないことにより、フィルタアダプタもダミーも備えられていないフィルタレボルバの位置が何時の間にか光路に配され、当該光路が開放されてしまうという危険も生じ得る。
【００１２】
　本発明の一実施形態によれば、手動で装填可能な（複数の）フィルタアダプタ（これらは、それぞれ、励起フィルタ及び遮断（吸収）フィルタを備える）のためのマガジン（フィルタレボルバ、切替フィルタ支持体）の複数の位置間での切替が電子的に制御されるよう構成される蛍光（ステレオ）顕微鏡は、静止状態において力によって閉鎖されているシャッタ（光のシャッタないし絞り）を照明光路（これは上記の（シャッタを閉鎖している閉鎖）力を克服することにより電気的に（例えば電動機又は電磁石によって）開放され得る）に備える。電流の導通が遮断されると、このシャッタは、上記の（閉鎖）力によって自動的に再び閉鎖される。閉鎖力Ｆは、例えば、バネによって生成される。しかしながら、シャッタの機械的閉鎖は、重力、永久磁石の磁力、又は弾性材料（部材）の復元力によっても生成可能である。
【００１３】
　例えば、誤操作によりフィルタアダプタが所定の作動位置にない（フィルタレボルバの）状態が光路に生ずるような場合に対し、場合により存在する電子的機能又は誤作動とは独立した、シャッタの電気的開放により引き起こされる眼の危険（眼への（有害光の）照射等）は、（例えば励起照明光の生成等に）必要な電気回路が、光路にフィルタアダプタが存在しない場合強制的に機械的又は電気的に非導通（開放）されるという構成をとることによって阻止される。
【００１４】
　本発明の特別な一実施形態によれば、シャッタを電気的に開放ないし開放状態を維持するための電気回路が、フィルタアダプタ（の各フィルタ）が（対応する各）光路に存在するときにのみ閉じられ（導通し）、この安全装置（措置）によって、逐次的に切替えられる付加的切替装置によって（該電気回路が開放され、）シャッタが自在に閉鎖可能になるという構成によって、上記危険は阻止される。
【００１５】
　本発明の一実施形態によれば、フィルタアダプタのカム（凹凸係合面）は、当該フィルタアダプタが光路に配されているとき、回路閉鎖（導通）機能を有するスナップ（動作）スイッチを作動する。
【００１６】
　同様に、フィルタアダプタに永久磁石を配設すれば、これもまた、磁石スイッチ（リードスイッチ）を閉じることができる。
【００１７】
　本発明の更なる一変形形態によれば、フィルタアダプタ又は複数のフィルタに配される導電性接触面（コンタクト面）により、作動位置において、電気回路が直接閉鎖（導通）される。
【００１８】
　以下に、本発明の実施例を図面を参照して詳細に説明する。なお、以下の実施例は、発明の理解の容易化のためのものであって、本発明の技術的思想を逸脱しない範囲において当業者が実施可能な修正・変更等を排除することは意図しない。また、特許請求の範囲に付した図面参照符合も発明の理解の容易化のためのものであり、本発明を図示の態様に限定することは意図しない。この点に関しては、補正・訂正後においても同様である。なお、図１〜図５は、互いに関連し合いかつ包括的に記載されている。従って、同じ図面参照符号は、同じ部材・要素等を意味し、添え字の異なる図面参照符号は、同じ機能を有する部材・要素等を意味する。
【実施例】
【００１９】
　図１に、照明装置１の模式的構造を示した。図１には、光源２２から開始する光軸２ａを有する照明光路が、シャッタの実線で示した位置ないし状態６ａでは遮断され、シャッタの破線で示した位置ないし状態６ｂでは開放される様子を具体的に示した。シャッタの開放位置では、光軸２ａを有する照明光路は、絞り３を介して案内され、偏向プリズム４によってフィルタアダプタ１２の励起フィルタ１３へと偏向される（図２参照）。ピニオンを有する電動機９は、シャッタ６の駆動歯車１０と係合し、当接点（ストッパ）８ｂと８ｃの間の範囲内でシャッタ６を運動（旋回）させる。シャッタ６の運動は、バネ係止部８ａに固定されたバネ７によるバネ付勢力も利用して行われる。バネ７は、その付勢力Ｆによって、シャッタ６を閉鎖位置６ａへと引き導く。図１に更に示したＵＶフィルタ５ａ、５ｂは、観察光路１５が通過するように配置されている。このことは、図１の切断線Ａ−Ａを示す図２から、よく判る。
【００２０】
　図２に、フィルタアダプタ（ないしアタッチメント）１２が装填されているフィルタレボルバ１１の構造を模式的に示した。図２では、照明光路２ｂ及び観察光路１５のうちの一方（他方の観察光路は、図２では、紙面の裏側において該観察光路１５と重なるよう配されているので図示していない）は、フィルタアダプタ１２を通過している。照明光路２ｂは、偏向プリズム４によって励起フィルタ１３へ偏向される。この励起フィルタ１３は、観察者によって知覚可能な蛍光光が含まれる波長領域の光を遮断する機能を有する。観察光路１５は、遮断（吸収）フィルタ１４（これも観察光路１５と同様に、他方の遮断（吸収）フィルタは、図２では、紙面の裏側において該遮断（吸収）フィルタと重なるよう配されているので、一方の遮断（吸収）フィルタのみを示した）を通過する。該遮断（吸収）フィルタ１４は、入射する光を、被検対象から発せられた所望の蛍光のみに限定して通過させるが、更に安全性を高めるため、観察者眼との間にＵＶフィルタ５（ａ、ｂ）が（遮断（吸収）フィルタ１４（ａ、ｂ）に）それぞれ配される（図１、図３も参照）。
【００２１】
　図３に、本発明の複数のフィルタアダプタ１２（ａ、ｂ等）を有するフィルタレボルバ１１を示した。このフィルタアダプタ１２は、励起フィルタ１３、遮断（吸収）フィルタ１４、及び本発明のカム（突起）１９を有する。フィルタアダプタ１２は、（スライド）着脱方向（半径方向）１８においてフィルタレボルバ１１に装填（及び排出）され、回動方向１７において回転軸１６の周りで回動される。方向矢印Ｂは、この方向からフィルタレボルバ１１を眺めたものが図４であることを示している。
【００２２】
　図４に、作動位置（顕微鏡の各光路に、フィルタアダプタ１２ａのそれぞれ対応するフィルタが配される位置）において、フィルタアダプタ１２ａがそのカム１９によってスナップ（動作）スイッチ２０が閉じている（これにより、例えば、シャッタ６の開放（図１の６ｂ）や、励起照明光の生成が可能となる）様子を模式的に示した。
【００２３】
　図５に、電気切替回路の機能原理を示した。制御装置２１は、シャッタ６を開放しかつ開放状態に維持するための電動機９に、作動位置に配置されるフィルタアダプタ１２ａのカム１９によってスイッチ２０が閉じられる場合にのみエネルギを供給する。電気回路が閉じられる（導通される）と、電動機９は、シャッタ６を閉鎖している力Ｆに打ち勝ち、もってシャッタ６を開放状態（図１の６ｂ）に維持する。スイッチ２０が開いて電気回路が開く（非導通になる）と、力Ｆ（の牽引力）により、シャッタ６は、制御装置２１にかかわりなく、直ちに閉鎖され（図１の６ａ）、このため、シャッタ６と（伝導）連結している非導通状態の電動機９は一緒に回転する。
【００２４】
　本発明の照明装置のための電動自動シャッタシステムは、典型的には図１に原理的に示す電動旋回（回動）として、有利に実施される。なお、電動駆動機構は電動モータないし電磁気式駆動機構であればよく、必ずしも回転式でなくても、リニアな動きをするリニアモータないしソレノイド式のものでもよい。リニアモータは平板状（リング状）ないし円筒状の空隙をもつものを用いてもよい。これを従来法、例えばEP 1 010 030 B1（特許文献１）の図５及び［００３３］に示すような純機械的リンク・カム機構と比べると、メカニカルな運動機構が簡便化されており、他方、当該特許文献１に示されたシャッタシステムでは、自動化が容易でないことは明瞭である。即ち、当該従来のシャッタシステムでは、旋回シャッタ（２１）の旋回軸（３７）を中心とした回動は、円筒形内壁面をカム制御面（３８）とし、係止部材（３６）の係止カム溝（３５）を備えた制御リンク・カム機構として複雑な機構をとっている。さらに、その結果本発明で行うべき、フィルタアダプタの所定位置での存否に対応する照明装置のオン・オフとの連携も簡単にはなしえない。その意味で、本発明において電動自動シャッタシステムと連携して照明システムを構成することは、従来法の欠点を克服するものである。なお、フィルタ受容システムの構成自体は、特に本願の実施例に限定されるものではないが、例えば上記特許文献１に開示されたもの（図６等）を適宜用いることができるので、ここでは詳細には触れない。
【産業上の利用可能性】
【００２５】
　本発明の機能原理は、顕微鏡、とりわけ蛍光ステレオ顕微鏡への適用を越えて、その他の顕微鏡にも、さらには光路上でのフィルタ等の構造要素の欠缺・故障等により観察者の眼に対する危険（有害光線の照射等）が存在するあらゆる光学装置ないし部品を有する各種装置・ユニット等に適用することができる。
【図面の簡単な説明】
【００２６】
【図１】シャッタを有する本発明の蛍光ステレオ顕微鏡の一例の照明装置の模式的平面図。
【図２】図１の矢印Ａ−Ａ方向に見た模式的Ａ−Ａ断面図。
【図３】完全に装填されたフィルタレボルバの平面図。
【図４】図３の矢印Ｂの方向に見た、光路に存在するフィルタアダプタのカムとスイッチとが共同作用している様子を示した概略図。
【図５】電気的機能の原理図。
【符号の説明】
【００２７】
　　　１　照明装置
　　　２　照明光路の光軸
　　　３　絞り
　　　４　偏向プリズム
　　　５　ＵＶフィルタ
　　６ａ　シャッタ（閉鎖状態）
　　６ｂ　シャッタ（開放状態）
　　　７　バネ
　　　８　バネ係止部及び当接点
　　　９　ピニオンを有する電動機又は電磁石
　　１０　シャッタの駆動歯車
　　１１　フィルタレボルバ
　１２ａ　光路中のフィルタアダプタ（アタッチメント）
　１２ｂ　（光路外の）切替（待機）位置のフィルタアダプタ
　　１３　励起フィルタ
　　１４　遮断（吸収）フィルタ
　　１５　観察光路の光軸
　　１６　フィルタレボルバの回転軸
　　１７　異なる位置間で切替を行う場合のフィルタレボルバの運動（回動）方向
　　１８　フィルタアダプタを交換する場合の着脱方向
　　１９　フィルタアダプタのカム
　　２０　回路閉鎖機能を有するスイッチ
　　２１　制御装置
　　２２　光源
　　　Ｆ　（閉鎖）力
　　　Ｂ　図４を得るための観察方向
【図１】
2004145345.tif 000003
【図２】
2004145345.tif 000004
【図３】
2004145345.tif 000005
【図４】
2004145345.tif 000006
【図５】
2004145345.tif 000007